(57)【要約】      （修正有）【課題】重量物を支持しても容易に開閉することができ、耐久性に富み、回転動作がスムーズである原稿載置装置を提供する。【解決手段】原稿載置装置３００は、原稿台３５０と、その原稿台３５０に対して、原稿台３５０の第１の軸３０６を中心として回転可能な原稿蓋体３６０と、原稿蓋体３６０に固定されたぜんまいバネと、そのぜんまいバネの中心軸に回転可能に固定された第１のプーリ３２２と、その第１のプーリ３２２に巻回されたロープ３２５とを備え、原稿台３５０と原稿蓋体３６０との間の角度を前記第１の軸３０６を中心として小さくしたときに、ロープ３２５がぜんまいバネの付勢力に抗して第１のプーリ３２２を回転させることを特徴とする。【選択図】図１８
2015004982.tif 000002
【特許請求の範囲】
【請求項１】
原稿台と、
その原稿台に対して、前記原稿台の第１の軸を中心として回転可能な原稿蓋体と、
前記原稿蓋体に固定されたぜんまいバネと、
そのぜんまいバネの中心軸に回転可能に固定された第１のプーリと、
その第１のプーリに巻回されたロープと
を備えた原稿載置装置において、
前記原稿台と前記原稿蓋体との間の角度を前記第１の軸を中心として小さくしたときに、前記ロープが前記ぜんまいバネの付勢力に抗して前記第１のプーリを回転させることを特徴とする原稿載置装置。
【請求項２】
前記原稿台に、前記第１の軸とは異なる位置の第２の軸を中心として回転可能に固定された第２のプーリを備え、
前記ロープは、前記原稿台と前記原稿蓋体との間の角度を前記第１の軸を中心として小さくしたときに、前記第２のプーリに係合することによって前記ぜんまいバネの付勢力に抗して前記第１のプーリを回転させることを特徴とする請求項１に記載の原稿載置装置。
【請求項３】
原稿台と、
その原稿台に対して、前記原稿台の第１の軸を中心として回転可能な中間体と、
その中間体に対して、前記第１の軸とは異なる位置の第３の軸を中心として回転可能な原稿蓋体と、
前記中間体に固定されたぜんまいバネと、
そのぜんまいバネの中心軸に回転可能に固定された第１のプーリと、
その第１のプーリに巻回されたロープと、
前記原稿蓋体に回転可能に固定され、前記ロープに係合する第３のプーリと
を備え、
前記原稿台と前記中間体との間の角度を前記第１の軸を中心として小さくしたときに、前記ロープが前記ぜんまいバネの付勢力に抗して前記第１のプーリを回転させ、
前記中間体と前記原稿蓋体との間の角度を前記第３の軸を中心として小さくしたときに、前記第３のプーリが前記ぜんまいバネの付勢力に抗して前記ロープを引張することを特徴とする原稿載置装置。
【請求項４】
前記原稿台と前記原稿蓋体とは、原稿の厚みに応じて、間隙が並行に変更可能であることを特徴とする請求項３に記載の原稿載置装置。
【請求項５】
前記原稿台に、前記第１の軸とは異なる位置の第２の軸を中心として回転可能に固定された第２のプーリを備え、
前記ロープは、前記原稿台と前記中間体との間の角度を前記第１の軸を中心として小さくしたとき、及び前記中間体と前記原稿蓋体との間の角度を前記第３の軸を中心として小さくしたときに、前記第２のプーリに係合することによって前記ぜんまいバネの付勢力に抗して前記第１のプーリを回転させることを特徴とする請求項４に記載の原稿載置装置。
【請求項６】
前記第２のプーリは、前記ロープと係合する第２のロープ係合溝と、その第２のロープ係合溝の両側に形成された第２の鍔部とを有し、
前記第３のプーリは、前記ロープと係合する第３のロープ係合溝と、その第３のロープ係合溝の両側に形成された第３の鍔部とを有し、
前記第２のロープ係合溝及び前記第３の鍔部又は前記第２の鍔部及び前記題のロープ係合溝は、同一平面内で回転することを特徴とする請求項５に記載の原稿載置装置。
【請求項７】
前記第１のプーリには、前記ロープに係合する螺旋状の溝が形成されていることを特徴とする請求項１乃至請求項６の何れかに記載の原稿載置装置。
【請求項８】
前記ぜんまいバネの前記中心軸において、前記第１のプーリの反対側に固定されたラチェットギアと、
そのラチェットギアの回転を規制するストッパーレバーと
を備えたことを特徴とする請求項１乃至請求項７の何れかに記載の原稿載置装置。
【発明の詳細な説明】
【技術分野】
【０００１】
本発明は、原稿載置装置に関する。
【背景技術】
【０００２】
一般的に、複写機等の画像記録装置では、原稿読取装置を支持する支持部が片持ちヒンジ機構を介して原稿台に取り付けられ、メインテナンスなどの際には、支持部を開閉できるようになっている。
上記片持ちヒンジ機構として、図３２及び図３３に示すように、基台側部材Ａと原稿読取装置Ｂの荷重が加わる支持部側部材Ｃとを軸Ｄを中心として回動自在に連結し、基台側部材ＡにカムＥ及びカム作用部Ｆを設けると共に、支持部側部材Ｃにスプリング受け部Ｇを設け、カムＥとスプリング受け部Ｇの間に圧縮コイルスプリングＨを介在したものがある。
【０００３】
この片持ちヒンジ機構は、軸Ｄを中心として支持部側部材Ｃを回動させた時、カムＥとスプリング受け部Ｇとの距離が変化することにより、圧縮コイルスプリングＨが伸長する力を利用して、支持部側部材Ｃを容易に持ち上げることができるが、以下のような問題があった。
・カムＥとカム作用部Ｆとの摺動面に圧接・摺動による荷重が加わり、摺動面の潤滑不良などの耐久性上の問題があった。
・カムＥとカム作用部Ｆとの摺動による異音が発生しやすかった。
・圧縮コイルスプリングＨが「へたり」やすく、「へたり」が発生した時に付勢力増強調整を行なうことができないので、ヒンジ機構全体を交換しなければならなかった。
【０００４】
そこで、従来、コイルスプリングに代えてぜんまいバネを用いたヒンジ機構が提案されている。
例えば、特許文献１には、下部ユニットケースと上部ユニットケースをヒンジ部を介して上下開閉回動可能に装着し、下部ユニットケース及び上部ユニットケースにヒンジ部側から開放端部側に延びる案内部材を設け、一方の案内部材を凸湾曲状に形成し、上下の案内部材に開閉連結体を移動可能に連結し、下部ユニットケースのヒンジ部近くにぜんまいばねを内蔵したケースを固定し、ぜんまいばねの基端をケースに固定すると共に、自由端に紐体を連結し、紐体を開閉連結体に連結し、ぜんまいばねに巻き締め方向の力を与えて開閉連結体にヒンジ部へ向かう付勢力を付与した開閉装置が記載されている。
しかし、この開閉装置は、紐体の軌道が安定していないため、開閉連結体の移動がスムーズに行なわれず、下部ユニットケースと上部ユニットケースの滑らかな回転が阻害される心配がある。
【先行技術文献】
【特許文献】
【０００５】
【特許文献１】特開２０１１−２２７４８０号公報
【発明の概要】
【発明が解決しようとする課題】
【０００６】
本発明が解決しようとする課題は、重量物を支持しても容易に開閉することができ、耐久性に富み、回転動作がスムーズである原稿載置装置を提供することにある。
【課題を解決するための手段】
【０００７】
本発明の態様１に記載の原稿載置装置は、原稿台と、その原稿台に対して、原稿台の第１の軸を中心として回転可能な原稿蓋体と、原稿蓋体に固定されたぜんまいバネと、そのぜんまいバネの中心軸に回転可能に固定された第１のプーリと、その第１のプーリに巻回されたロープとを備えた原稿載置装置であって、原稿台と原稿蓋体との間の角度を第１の軸を中心として小さくしたときに、ロープがぜんまいバネの付勢力に抗して第１のプーリを回転させることを特徴とするものである。
【０００８】
本発明の態様２は、態様１に記載の原稿載置装置であって、原稿台に、第１の軸とは異なる位置の第２の軸を中心として回転可能に固定された第２のプーリを備え、ロープは、原稿台と原稿蓋体との間の角度を第１の軸を中心として小さくしたときに、第２のプーリに係合することによってぜんまいバネの付勢力に抗して第１のプーリを回転させることを特徴とするものである。
【０００９】
本発明の態様３に記載の原稿載置装置は、原稿台と、その原稿台に対して、原稿台の第１の軸を中心として回転可能な中間体と、その中間体に対して、第１の軸とは異なる位置の第３の軸を中心として回転可能な原稿蓋体と、中間体に固定されたぜんまいバネと、そのぜんまいバネの中心軸に回転可能に固定された第１のプーリと、その第１のプーリに巻回されたロープと、原稿蓋体に回転可能に固定され、ロープに係合する第３のプーリと
を備え、原稿台と前記中間体との間の角度を前記第１の軸を中心として小さくしたときに、ロープがぜんまいバネの付勢力に抗して前記第１のプーリを回転させ、中間体と原稿蓋体との間の角度を第３の軸を中心として小さくしたときに、第３のプーリがぜんまいバネの付勢力に抗してロープを引張することを特徴とするものである。
【００１０】
本発明の態様４は、態様３に記載の原稿載置装置であって、原稿台と原稿蓋体とは、原稿の厚みに応じて、間隙が並行に変更可能であることを特徴とするものである。
【００１１】
本発明の態様５は、態様４に記載の原稿載置装置であって、原稿台に、第１の軸とは異なる位置の第２の軸を中心として回転可能に固定された第２のプーリを備え、ロープは、原稿台と中間体との間の角度を第１の軸を中心として小さくしたとき、及び中間体と原稿蓋体との間の角度を第３の軸を中心として小さくしたときに、第２のプーリに係合することによってぜんまいバネの付勢力に抗して第１のプーリを回転させることを特徴とするものである。
【００１２】
本発明の態様６は、態様５に記載の原稿載置装置であって、第２のプーリは、ロープと係合する第２のロープ係合溝と、その第２のロープ係合溝の両側に形成された第２の鍔部とを有し、第３のプーリは、ロープと係合する第３のロープ係合溝と、その第３のロープ係合溝の両側に形成された第３の鍔部とを有し、第２のロープ係合溝及び第３の鍔部又は第２の鍔部及び前記第３のロープ係合溝は、同一平面内で回転することを特徴とするものである。
【００１３】
本発明の態様７は、態様１乃至態様６の何れかに記載の原稿載置装置であって、第１のプーリには、ロープに係合する螺旋状の溝が形成されていることを特徴とするものである。
【００１４】
本発明の態様８は、態様１乃至態様７の何れかに記載の原稿載置装置であって、ぜんまいバネの中心軸において、第１のプーリの反対側に固定されたラチェットギアと、そのラチェットギアの回転を規制するストッパーレバーとを備えたことを特徴とするものである。
【発明の効果】
【００１５】
態様１の原稿載置装置は、原稿台と、その原稿台に対して、原稿台の第１の軸を中心として回転可能な原稿蓋体と、原稿蓋体に固定されたぜんまいバネと、そのぜんまいバネの中心軸に回転可能に固定された第１のプーリと、その第１のプーリに巻回されたロープとを備えている。そして、原稿台と原稿蓋体との間の角度を第１の軸を中心として小さくしたときに、ロープがぜんまいバネの付勢力に抗して第１のプーリを回転させるので、原稿台と原稿蓋体との間の角度を第１の軸を中心として小さくする場合には、第１のプーリがロープを引っ張り、ぜんまいバネを変形させる。これにより、ロープの軌道が安定し、原稿蓋体をスムーズに閉めることができる。
【００１６】
一方、原稿蓋体を開ける場合には、ぜんまいバネの復元力を利用して、原稿蓋体に荷重が加わった場合であっても容易に原稿蓋体を開けることができる。また、ぜんまいバネ及び第１のプーリの回転を利用していることから、従来のコイルスプリング及びカムを回転させたものに比べて、耐久性が高く、異音の発生も生じ難い。
【００１７】
態様２の原稿載置装置は、原稿台に、第１の軸とは異なる位置の第２の軸を中心として回転可能に固定された第２のプーリを備えている。そして、ロープは、原稿台と原稿蓋体との間の角度を第１の軸を中心として小さくしたときに、第２のプーリに係合することによってぜんまいバネの付勢力に抗して第１のプーリを回転させるので、蝶番装置自体の構成が簡略化されるうえ、ロープの軌道をさらに安定させて、原稿台と原稿蓋体とをよりスムーズに開閉させることができ、第２のプーリの回転を利用して、より耐久性を向上させ、異音の発生もさらに防止することができる。
【００１８】
態様３の原稿載置装置は、原稿台と、その原稿台に対して、原稿台の第１の軸を中心として回転可能な中間体と、その中間体に対して、第１の軸とは異なる位置の第３の軸を中心として回転可能な原稿蓋体と、中間体に固定されたぜんまいバネと、そのぜんまいバネの中心軸に回転可能に固定された第１のプーリと、その第１のプーリに巻回されたロープと、原稿蓋体に回転可能に固定され、ロープに係合する第３のプーリとを備えている。
【００１９】
そして、原稿台と中間体との間の角度を第１の軸を中心として小さくしたときに、ロープがぜんまいバネの付勢力に抗して第１のプーリを回転させ、中間体と原稿蓋体との間の角度を第３の軸を中心として小さくしたときに、第３のプーリがぜんまいバネの付勢力に抗してロープを引張る。このため、原稿蓋体を閉める場合には、第１のプーリがロープを引っ張り、ぜんまいバネを変形させるので、ロープの軌道が安定し、原稿蓋体をスムーズに閉めることができる。
【００２０】
一方、原稿蓋体を開ける場合には、ぜんまいバネの復元力を利用して、原稿蓋体に荷重が加わった場合であっても容易に原稿蓋体を開けることができる。また、ぜんまいバネ及び第１のプーリの回転を利用していることから、従来のコイルスプリング及びカムを回転させたものに比べて、耐久性が高く、異音の発生も生じ難い。さらに、中間体に対する原稿蓋体の回転によって、原稿の厚みが変わった場合においても、原稿を原稿台と原稿蓋体との間にうまく挟むことができる。
【００２１】
態様４の原稿載置装置においては、原稿台と原稿蓋体とは、原稿の厚みに応じて、間隙が並行に変更可能であるので、原稿の厚みが変わった場合においても、原稿を原稿台と原稿蓋体との間にうまく挟むことができる。
【００２２】
態様５の原稿載置装置は、原稿台に、第１の軸とは異なる位置の第２の軸を中心として回転可能に固定された第２のプーリを備えている。そして、ロープは、原稿台と中間体との間の角度を第１の軸を中心として小さくしたとき、及び中間体と原稿蓋体との間の角度を第３の軸を中心として小さくしたときに、第２のプーリに係合することによってぜんまいバネの付勢力に抗して第１のプーリを回転させる。このため、蝶番装置自体の構成が簡略化されるうえ、ロープの軌道をさらに安定させて、原稿台と原稿蓋体とをよりスムーズに開閉させることができ、第２のプーリの回転を利用して、より耐久性を向上させ、異音の発生もさらに防止することができる。
【００２３】
態様６の原稿載置装置においては、第２のプーリは、ロープと係合する第２のロープ係合溝と、その第２のロープ係合溝の両側に形成された第２の鍔部とを有し、第３のプーリは、ロープと係合する第３のロープ係合溝と、その第３のロープ係合溝の両側に形成された第３の鍔部とを有している。そして、第２のロープ係合溝及び第３の鍔部又は第２の鍔部及び第３のロープ係合溝は、同一平面内で回転するので、原稿蓋体を開閉する際の機構の長さを短縮することができ、原稿載置装置自体をコンパクトに設計することができる。
【００２４】
態様７の原稿載置装置において、第１のプーリには、ロープに係合する螺旋状の溝が形成されているので、ロープの軌道をさらに安定させて、原稿蓋体をさらにスムーズに開閉させることができる。
【００２５】
態様８の原稿載置装置は、ぜんまいバネの中心軸において、第１のプーリの反対側に固定されたラチェットギアと、そのラチェットギアの回転を規制するストッパーレバーとを備えている。これによれば、ぜんまいバネのバネ力の調整を容易に行うことができ、延いては、ロープの軌道の安定化を容易に確保することができる。
【図面の簡単な説明】
【００２６】
【図１】図１は、本発明の第１実施形態に係る蝶番装置を示す斜視図である。
【図２】図２は、本発明の第１実施形態に係る蝶番装置を示す左側断面図である。
【図３】図３は、本発明の第１実施形態に係る蝶番装置を示す一部破断斜視図である。
【図４】図４（ａ）は、本発明の第１実施形態に係る蝶番装置において、第２筐体を回動した際の一部破断斜視図であり、図４（ｂ）は図４（ａ）における第１プーリを示す拡大図である。
【図５】図５（ａ）は、本発明の第１実施形態に係る蝶番装置において、第２筐体を全開した状態を示す斜視図であり、図５（ｂ）は、図５（ａ）の状態における左側断面図である。
【図６】図６（ａ）は、本発明の第１実施形態に係る蝶番装置において、第２筐体を回動する途中の状態を示す斜視図であり、図６（ｂ）は、図６（ａ）の状態における左側断面図である。
【図７】図７（ａ）は、本発明の第１実施形態に係る蝶番装置において、第２筐体を回動する途中の状態を示す斜視図であり、図７（ｂ）は、図７（ａ）の状態における左側断面図である。
【図８】図８は、本発明の第１実施形態に係る蝶番装置の右側面図であり、ラチェットギアを示すものである。
【図９】図９は、本発明の第２実施形態に係る蝶番装置を示す斜視図である。
【図１０】図１０は、本発明の第２実施形態に係る蝶番装置を後方から見た際の斜視図である。
【図１１】図１１は、本発明の第２実施形態に係る蝶番装置を示す左側断面図である。
【図１２】図１２は、本発明の第２実施形態に係る蝶番装置を示す一部破断斜視図である。
【図１３】図１３は、本発明の第２実施形態に係る蝶番装置を示す要部後面図である。
【図１４】図１４は、本発明の第２実施形態に係る蝶番装置において、第２筐体を全開した状態を示す斜視図であり、図１４（ｂ）は、図１４（ａ）の状態における左側断面図である。
【図１５】図１５は、本発明の第２実施形態に係る蝶番装置において、第２筐体に対して第３筐体を回動させた状態を示す左側断面図である。
【図１６】図１６（ａ）は、本発明の第３実施形態に係る原稿載置装置を示す斜視図であり、図１６（ｂ）は、本発明の第３実施形態に係る原稿載置装置を示す左側断面図である。
【図１７】図１７は、本発明の第３実施形態に係る原稿載置装置において、原稿蓋体を完全に閉じている状態を示す要部斜視図である。
【図１８】図１８は、図１７における左側断面図である。
【図１９】図１９は、図１７における一部破断斜視図である。
【図２０】図２０（ａ）は、本発明の第３実施形態に係る原稿載置装置において、原稿蓋体を回動した際の一部破断斜視図であり、図２０（ｂ）は図２０（ａ）における第１プーリを示す拡大図である。
【図２１】図２１（ａ）は、本発明の第３実施形態に係る原稿載置装置において、原稿蓋体を全開した状態を示す斜視図であり、図２１（ｂ）は、図２１（ａ）の状態における左側断面図である。
【図２２】図２２（ａ）は、本発明の第３実施形態に係る原稿載置装置において、原稿蓋体を回動する途中の状態を示す斜視図であり、図２２（ｂ）は、図２２（ａ）の状態における左側断面図である。
【図２３】図２３は、本発明の第３実施形態に係る原稿載置装置の右側面図であり、ラチェットギアを示すものである。
【図２４】図２４（ａ）は、本発明の第４実施形態に係る原稿載置装置を示す斜視図であり、図２４（ｂ）は、本発明の第４実施形態に係る原稿載置装置を示す左側断面図である。
【図２５】図２５（ａ）は、本発明の第４実施形態に係る原稿載置装置において、原稿蓋体を完全に閉じている状態を示す要部斜視図であり、図２５（ｂ）は、図２５（ａ）の状態における左側断面図である。
【図２６】図２６（ａ）は、本発明の第４実施形態に係る原稿載置装置において、原稿蓋体を全開した状態を示す斜視図であり、図２６（ｂ）は、図２６（ａ）の状態における左側断面図である。
【図２７】図２７（ａ）は、本発明の第４実施形態に係る原稿載置装置において、原稿蓋体を回動する途中の状態を示す斜視図であり、図２７（ｂ）は、図２７（ａ）の状態における左側断面図である。
【図２８】図２８は、本発明の第４実施形態に係る原稿載置装置を示す一部破断斜視図である。
【図２９】図２９は、本発明の第４実施形態に係る原稿載置装置を示す要部後面図である。
【図３０】図３０（ａ）は、本発明の第４実施形態に係る原稿載置装置において、原稿台と原稿蓋体との間に厚い原稿を挟んだ状態を示す要部斜視図であり、図３０（ｂ）は、図３０（ａ）の状態における左側断面図である。
【図３１】図３１（ａ）は、本発明の第４実施形態に係る原稿載置装置において、原稿台と原稿蓋体との間に薄い原稿を挟んだ状態を示す要部斜視図であり、図３１（ｂ）は、図３１（ａ）の状態における左側断面図である。
【図３２】従来の片持ちヒンジ機構の閉状態における模式図である。
【図３３】従来の片持ちヒンジ機構の開状態における模式図である。
【発明を実施するための形態】
【００２７】
以下、本発明を図面に示す実施形態に基づいて説明する。
[第１実施形態]
以下においては、本発明の第１実施形態に係る蝶番装置について説明する。
図１に示すように、本実施形態の蝶番装置１００は、第１の筐体１と、第１の筐体１に開閉可能に連結された第２の筐体２とを備えている。第２の筐体２は、第１の筐体１に設けられている第１の軸（シャフト６）を中心として回転可能とされている。
【００２８】
まず、第１の筐体１について説明する。
図２及び図３に示すように、第１の筐体１は、底部を形成する長方形状の固定板４と、固定板４の後端部両側縁に立設される互いに平行な一対の起立片５を有する。起立片５の後端縁上部には受け片１２が後方へ向けて突設している。図３に示すように、左右一対の起立片５間には、上述した第１の軸（シャフト６）が架設され、起立片５には第１の軸（シャフト６）を中心とする円弧状の第１ガイド孔７が形成されている。
【００２９】
また、図３に示すように、一対の起立片５の間において、シャフト６にはエンドプーリ８が固定されている。図４（ａ）に示すように、エンドプーリ８の側面には、第１ガイド孔７に挿通されるストッパピン９が設けられている。このストッパピン９は、エンドプーリ８に対して一体で設けられていてもよく、又は別体で設けられていてもよい。そして、第２の筐体２を回転させた際には、ストッパピン９が後述する第２の筐体２の第２ガイド孔１７を摺動し、係合することで第２の筐体２の回転が規制されるようになっている（図５（ａ）参照）。
【００３０】
さらに、図３に示すように、エンドプーリ８の上方において、第１筐体１の一対の起立片５間には第２の軸（ガイドプーリ用軸１０）が架設され、その第２の軸（ガイドプーリ用軸１０）の外周には第２のプーリ（ガイドプーリ１１）が取り付けられている。この第２のプーリ（ガイドプーリ１１）は、第２の軸（ガイドプーリ用軸１０）を中心として回転可能に固定されている。
【００３１】
また、図３に示すように、第２のプーリ（ガイドプーリ１１）は、後述するロープ２５を係合させる凹部形状の第２のロープ係合溝１１ａを有しており、且つ、そのロープ係合溝１１ａの両側には第２の鍔部１１ｂが設けられている。これにより、第２のプーリ（ガイドプーリ１１）に対するロープ２５の固定状態が安定化されるようになる。しかしながら、この第２のロープ係合溝１１ａは、構成の簡素化を目的として省略されてもよい。すなわち、平坦な表面を有する第２のプーリ（ガイドプーリ）を用いてもよい。
【００３２】
なお、本実施形態においては、ロープ２５を係合させる手段として第２のプーリ（ガイドプーリ１１）を用いたが、これをリブ又はローラに変更してもよい。すなわち、リブ又はローラにロープ２５を巻き付ける構成を採用してもよい。
【００３３】
また、本実施形態においては、第１筐体１に第２プーリ（ガイドプーリ１１）を設けたが、例えば、第１筐体１の起立片５に取り付けられた別の筐体（図示せず）に第２プーリ（ガイドプーリ１１）を設けてもよい。
【００３４】
次に、第２の筐体２について詳細に説明する。
図１に示すように、第２の筐体２は、上板１３の両側縁から下方へ向けて互いに平行な側壁１４を設けて成る。側壁１４の下端には、フランジ１４ａが直角に張り出している。そして、左右の側壁１４の下端の前方部及び後方部はそれぞれ補強棒１５で連結されている（図３参照）。
【００３５】
図１に示すように、側壁１４の後縁下端部にはそれぞれ連結片１６が後方へ向けて突設され、左右一対の連結片１６を上述した第１の軸（シャフト６）の両端部が貫通している。これにより、第１の筐体１と第２の筐体２とが第１の軸（シャフト６）を中心として開閉可能に連結されている（図５（ａ）参照）。
【００３６】
また、図１に示すように、連結片１６には、シャフト６を中心とする円弧状の第２ガイド孔１７が形成されている。この第２ガイド孔１７は上述した第１ガイド孔７に連通しており、第２ガイド孔１７にエンドプーリ８のストッパピン９が摺動可能に係合している。すなわち、図５（ａ）に示すように、第２の筐体２が第１の軸（シャフト６）を中心として回転した際には、ストッパピン９が第２ガイド孔１７の端縁に係合することで、第２の筐体２が開放状態で固定されるようになっている。
【００３７】
図３に示すように、左右の側壁１４間にはぜんまいシャフト１８が架設され、ぜんまいシャフト１８にぜんまいケース１９が回動可能に取り付けられている。ぜんまいケース１９の内部には図示しないぜんまいバネが収納される。ぜんまいバネの中心側端部（基端）はぜんまいシャフト１８に固定され、ぜんまいバネの外周側端部（自由端）はぜんまいケース１９に固定されている。なお、本実施形態においては、ぜんまい方式を用いているが、これをねじりコイル方式に変更してもよい。
【００３８】
ぜんまいケース１９の側面には、ぜんまいバネの中心軸、すなわちぜんまいシャフト１８を介して回転可能に固定されている第１のプーリ（巻き上げプーリ２２）が設けられている。
【００３９】
第１のプーリ（巻き上げプーリ２２）の側面には小径部２３が一体で形成されており、ロープ２５の一端側が小径部２３に巻き付けられて、その先端が第１のプーリ（巻き上げプーリ２２）に固定されている。すなわち、ロープ２５はぜんまいバネの付勢力により、巻き付け方向へと力が加えられている。
【００４０】
なお、図３に示すように、ロープ２５の他端側はエンドプーリ８の外周囲に後方から係合し、その先端がエンドプーリ８のロープ取付部８ａに固定されている。そして、第２のプーリ（ガイドプーリ１１）がロープ２５の軌道の前方において、ロープ２５と係合可能な位置に設置されている。
【００４１】
また、図４（ｂ）に示すように、第１のプーリ（巻き上げプーリ２２）の小径部２３には、ロープ２５に係合する螺旋状の溝２３ａが設けられている。これによれば、第１のプーリ（巻き上げプーリ２２）に対してロープ２５が固定されるため、ロープ２５の軌道がさらに安定し、第１の筐体１と第２の筐体２とをさらにスムーズに開閉させることが可能となる。
【００４２】
なお、上述した第１のプーリ（小径部２３）における溝２３ａは省略されてもよい。この場合、第１のプーリ（小径部２３）の構成が簡素なものとなり、製造コストの低下が可能となる。
【００４３】
そして、例えば、図５（ａ），（ｂ）に示す状態から図６（ａ），（ｂ）に示す状態を経て図７（ａ），（ｂ）に示す状態へと、第１の筐体１と第２の筐体２との間の角度を第１の軸（シャフト６）を中心として小さくしたとき、すなわち、シャフト６を中心として第２の筐体２を閉じる場合、ぜんまいケース１９及び第１のプーリ（巻き上げプーリ２２）が第１の筐体１の前下方に移動し、第１のプーリ（巻き上げプーリ２２）とエンドプーリ８との間に架設されたロープ２５に第２のプーリ（ガイドプーリ１１）が下から係合して、ロープ２５の軌道が長くなる。この結果、ロープ２５の一端がぜんまいバネの付勢力に抗して引っ張られて、第１のプーリ（巻き上げプーリ２２）及びぜんまいケース１９を回転させる。
【００４４】
すなわち、第１の筐体１と第２の筐体２との間の角度を第１の軸（シャフト６）を中心として小さくする場合には、第１のプーリ（巻き上げプーリ２２）がロープ２５を引っ張り、ぜんまいバネを変形させるので、ロープ２５の軌道が安定し、第１の筐体１に対して第２の筐体２をスムーズに閉めることができる。
【００４５】
そして、図１及び図２に示すように、第２の筐体２を完全に閉じると、第２の筐体２に取り付けられた部材Ｘが、第１の筐体１に一体で設けられた部材Ｙに重ねられた状態で、第２の筐体２はその位置にとどまる。このとき、図１に示すように、ストッパピン９は、第１ガイド孔７（図示略）の下端に係合し、第２ガイド孔１７の上端部或いは中間部に係合している。
【００４６】
一方、図７（ａ），（ｂ）に示す状態から図６（ａ），（ｂ）に示す状態を経て図５（ａ），（ｂ）に示す状態へと、第１の筐体１と第２の筐体２との間の角度を第１の軸（シャフト６）を中心として大きくする場合、すなわち、第２の筐体２を押し上げる場合には、ぜんまいバネの復元力を利用して、第１の筐体１又は第２の筐体２に荷重が加わった場合であっても、同ぜんまいバネの復元力によって、第１の筐体１に対して第２の筐体２を容易に開くことができる。また、ぜんまいバネ及び第１のプーリ（巻き上げプーリ２２）の回転を利用していることから、従来のコイルスプリング及びカムを回転させたものに比べて、耐久性が高く、異音の発生も生じ難い。
【００４７】
そして、図５（ａ）に示すように、第２の筐体２が所定角度まで開いて開放限界に達した場合、第２ガイド孔１７の下端にストッパピン９が係合し、突起２４が第１の筐体１の受け片１２に当たって、第２の筐体２の回動が停止する。
【００４８】
また、上述したように、本実施形態の蝶番装置１００には、第１の筐体１に、第１の軸（シャフト６）とは異なる位置の第２の軸（ガイドプーリ用軸１０）を中心として回転可能に固定された第２のプーリ（ガイドプーリ１１）を備えている（図３参照）。
【００４９】
このとき、図５に示す状態から図７に示す状態へと、第１の筐体１と第２の筐体２との間の角度を第１の軸（シャフト６）を中心として小さくしたとき、すなわち、シャフト６を中心として第２の筐体２を閉じる場合に、ロープ２５は第２のプーリ（ガイドプーリ１１）に係合することによってぜんまいバネの付勢力に抗して第１のプーリ（巻き上げプーリ２２）を回転させるので、蝶番装置１００自体の構成が簡略化されるうえ、ロープ２５の軌道をさらに安定させて、第１の筐体１に対して第２の筐体２をよりスムーズに開閉させることができる。
そして、第２のプーリ（ガイドプーリ１１）の回転を利用して、より耐久性を向上させ、異音の発生もさらに防止することができる。
【００５０】
また、図８に示すように、ぜんまいバネの中心軸（ぜんまいシャフト１８）の一端部において、上述した第１のプーリ（巻き上げプーリ２２）の反対側に位置する側壁１４には、ラチェットギア２０が固定されている。このラチェットギア２０の下方には、ストッパレバー２１が設けられている。そして、ストッパレバー２１の先端爪２１ａがラチェットギア２０の歯に択一的に係合してその回転を規制するようになっている。
【００５１】
ストッパレバー２１は、先端爪２１ａがラチェットギア２０に接離するよう、側壁１４に回動可能に取り付けられ、コイルバネ２１ｂによって先端爪２１ａがラチェットギア２０に接近する方向へ付勢されている。従って、ぜんまいシャフト１８を工具で回転させて、ラチェットギア２０のストッパレバー２１による係合位置を変えることにより、ぜんまいバネの中心側端部の位置を変えることができる。なお、ぜんまいシャフト１８の一端面には、工具掛け溝１８ａを形成すると便利である。
【００５２】
このように、本実施形態の蝶番装置１００においては、ぜんまいバネの中心軸（ぜんまいシャフト１８）において、第１のプーリ（巻き上げプーリ２２）の反対側に固定されたラチェットギア２０と、そのラチェットギア２０の回転を規制するストッパーレバー２１とを設けているので、ぜんまいバネのバネ力の調整を容易に行うことができ、延いては、ロープ２５の軌道の安定化を容易に確保することができる。
【００５３】
なお、こうしたラチェットギア２０及びストッパーレバー２１は省略されてもよい。この場合、部品点数が削減されることとなり、製造コストの低下が可能となる。
【００５４】
[第２実施形態]
以下においては、本発明の第２実施形態に係る蝶番装置について説明する。ここでは、上述した第１実施形態と異なる点を中心に説明する。
【００５５】
図９に示すように、第２実施形態の蝶番装置２００においては、上述した第２筐体２に対して第３の軸（シャフト２９）を中心として回転可能な第３の筐体３を有している。より詳しくは、第２の筐体２の側壁１４及び第３の筐体３の外側壁２８の上前角部を第３の軸（シャフト２９）が貫通し、第２の筐体２に対して第３の筐体３が、この第３の軸（シャフト２９）を中心として回動可能に連結されている。
【００５６】
第３の筐体３は、天板２７と、天板２７の両側縁から下方に延びる外側壁２８を有している。外側壁２８の下端には、各々フランジ３０が直角に張り出している。
【００５７】
図９及び図１０に示すように、左右の外側壁２８には、ぜんまいシャフト１８の両端部と係合し得る長孔３２が形成されている。長孔３２は、第３の軸（シャフト２９）を中心とする円弧状であり、第３の筐体３が第３の軸（シャフト２９）を中心として回動すると、ぜんまいシャフト１８の両端部が長孔３２に沿って摺動するようになっている。そして、長孔３２の端縁にぜんまいシャフト１８の端部が係合したとき、第２の筐体２に対する第３の筐体３の回動が停止されるようになっている。
【００５８】
さらに、図１０に示すように、第３の筐体３の一方の外側壁２８には円弧状孔３４が設けられている。そして、第３の筐体３が第３の軸（シャフト２９）を中心として回動する際には、第２の筐体２の側壁１４の外面に設けられたストッパ用ビス３３が円弧状孔３４に沿って摺動し、同ストッパ用ビス３３が円弧状孔３４に係合することにおいても、第２の筐体２に対する第３の筐体３の回転が停止されるようになっている。
【００５９】
図１１に示すように、他方の外側壁２８の内面には、第２の軸（ガイドプーリ用軸１０）と平行で、第２の筐体２の内側に延びるテンションプーリ用軸３５が突出され、テンションプーリ用軸３５の外周囲に第３のプーリ（テンションプーリ３１）が回転可能に取り付けられている。この第３のプーリ（テンションプーリ３１）は、第３の筐体３に回転可能に固定されており、ロープ２５に下方から係合するようになっている。さらに、第２の筐体２の側壁１４には、他のガイドプーリ２６が回動可能に取り付けられる。他のガイドプーリ２６は第１のプーリ（巻き上げプーリ２２）の小径部２３の下前方に設置され、ロープ２５が下方から係合している。
【００６０】
なお、図１２に示すように、第３のプーリ（テンションプーリ３１）の回動中心軸であるテンションプーリ用軸３５、第２のプーリ（ガイドプーリ１１）の回動中心軸であるガイドプーリ用軸１０、第２の筐体２と第３の筐体３との回動中心軸である第３の軸２９、第１の筐体１と第２の筐体２との回動中心軸であり、エンドプーリ８の回動中心軸である第１の軸（シャフト６）、及び、第１のプーリ（巻き上げプーリ２２）の回動中心軸であるぜんまいシャフト１８は全て平行に配設されている。
【００６１】
図１３に示すように、第３のプーリ（テンションプーリ３１）は、ロープ２５に係合する第３の係合溝３１ａと、その係合溝３１ａの両側に設けられている第３の鍔部３１ｂを有している。これにより、第３のプーリ（テンションプーリ３１）に対するロープ２５の固定状態が安定化されるようになる。
【００６２】
また、図１３に示すように、本実施形態の第２のプーリ（ガイドプーリ１１）及び第３のプーリ（テンションプーリ３１）においては、第２のロープ係合溝１１ａ及び第３の鍔部３１ｂ、又は第２の鍔部１１ｂ及び第３のロープ係合溝３１ａは、同一平面内で回転するように構成することが好ましい。これによれば、第１の筐体１、第２の筐体２及び第３の筐体３の開閉する際の機構の長さを短縮することができ、蝶番装置２００自体をコンパクトに設計することができる。
【００６３】
ここで、図１４（ａ），（ｂ）に示すような第２の筐体２が開放されている状態から、図１５に示すように、第２の筐体２と第３の筐体３との間の角度を、第３の軸（シャフト２９）を中心として小さくしたとき、すなわち、第２の筐体２に対して第３の筐体３を下方へ回動させたとき、第３のプーリ（テンションプーリ３１）が後方へ移動することにより、ぜんまいバネの付勢力に抗してロープ２５を引張る。
【００６４】
このとき、図１５に示すように、第２の筐体２が開放された状態で位置が固定されたまま、第３の筐体３が第３の軸（シャフト２９）を中心として回転し、第３の筐体３の下面Ｋ１と第１の筐体１の下面Ｋ２とが所定の間隔をおいて並行となる。すなわち、本実施形態においては、第３の筐体３が第３の軸（シャフト２９）を中心として回転したとき、例えば、第３の筐体３に取り付けられた部材Ｚと第１の筐体１に取り付けられた部材Ｙとの間に所望の厚みの部材（図示略）をうまく挟むことができる。
【００６５】
加えて、第２の筐体２と第３の筐体３とを一体で閉める場合には、第１のプーリ（巻き上げプーリ２２）がロープ２５を引っ張り、ぜんまいバネを変形させるので、ロープ２５の軌道が安定し、第２の筐体２と第３の筐体３とをスムーズに閉めることができる。
【００６６】
一方、第２の筐体２と第３の筐体３とを開ける場合、すなわち、図１５に示す状態から図１４に示す状態へと第３の筐体３を回動させる場合には、ぜんまいバネの復元力を利用して、仮に第３の筐体３に荷重が加わった場合であっても第３の筐体３を容易に開けることができる。また、ぜんまいバネ及び第１のプーリ（巻き上げプーリ２２）の回転を利用していることから、従来のコイルスプリング及びカムを回転させたものに比べて、耐久性が高く、異音の発生も生じ難い。
【００６７】
また、本実施形態においては、第１実施形態と同様、第１の筐体１に、第１の軸（シャフト６）とは異なる位置の第２の軸（ガイドプーリ用軸１０）を中心として回転可能に固定された第２のプーリ（ガイドプーリ１１）を備えている。
【００６８】
そして、ロープ２５は、第１の筐体１と第２の筐体２との間の角度を第１の軸（シャフト６）を中心として小さくしたとき、及び第２の筐体２と第３の筐体３との間の角度を第３の軸（シャフト２９）を中心として小さくしたときに、第２のプーリ（ガイドプーリ１１）に係合することによってぜんまいバネの付勢力に抗して第１のプーリ（巻き上げプーリ２２）を回転させる。このため、蝶番装置２００自体の構成が簡略化されるうえ、ロープ２５の軌道がさらに安定し、第１の筐体１と第２の筐体２、及び第２の筐体２と第３の筐体３とをよりスムーズに開閉させることができ、第２のプーリ（ガイドプーリ１１）の回転を利用して、より耐久性を向上させ、異音の発生もさらに防止することができる。
【００６９】
[第３実施形態]
以下においては、本発明の第３実施形態に係る原稿載置装置について説明する。
図１６（ａ）及び（ｂ）に示すように、本実施形態の原稿載置装置３００は、原稿台３５０と、その原稿台３５０に設けられた第１の軸（シャフト３０６）を中心として回転可能に固定されている原稿蓋体３６０とを備えている。
【００７０】
まず、原稿台３５０について以下に説明する。図１７及び図１８に示すように、原稿台３５０は、原稿を載置する平板状の台部材３５２と、その台部材３５２に一体で設けられている第１の筐体３０１とを備えている。
【００７１】
本実施形態における第１の筐体３０１は、上述した第１実施形態における第１の筐体１と同様の構成を有している。すなわち、図１９及び図２０に示すように、第１の筐体３０１は、台部材３５２に接する底部を形成する長方形状の固定板３０４と、固定板３０４の後端部両側縁に立設される互いに平行な一対の起立片３０５を有する。起立片３０５の後端縁上部には受け片３１２が後方へ向けて突設している。一対の起立片３０５間には、上述した第１の軸（シャフト３０６）が架設され、起立片３０５には第１の軸（シャフト３０６）を中心とする円弧状の第１ガイド孔３０７が形成されている。
【００７２】
また、左右の起立片３０５の間において、第１の軸（シャフト３０６）にはエンドプーリ３０８が固定されている（図１９参照）。図２０に示すように、エンドプーリ３０８の側面には、第１ガイド孔３０７に挿通されるストッパピン３０９が一体で設けられている。そして、原稿蓋体３６０を回転させた際には、ストッパピン３０９が後述する原稿蓋体３６０（第２の筐体３０２）の第２ガイド孔３１７を摺動し、係合することで原稿蓋体３６０の回転が規制されるようになっている。
【００７３】
さらに、図１９に示すように、エンドプーリ３０８の上方において、第１の筐体３０１の一対の起立片３０５間には第２の軸（ガイドプーリ用軸３１０）が架設され、その第２の軸（ガイドプーリ用軸３１０）の外周には第２のプーリ（ガイドプーリ３１１）が取り付けられている。この第２のプーリ（ガイドプーリ３１１）は、第２の軸（ガイドプーリ用軸３１０）を中心として回転可能に固定されている。また、第２のプーリ（ガイドプーリ３１１）は、ロープ３２５を係合させる第２のロープ係合溝３１１ａを有しており、且つ、その係合溝３１１ａの両側には第２の鍔部３１１ｂが設けられている。これにより、第２のプーリ（ガイドプーリ３１１）に対するロープ３２５の固定状態が安定化されるようになる。
【００７４】
なお、本実施形態においては、ロープ３２５を係合させる手段として第２のプーリ（ガイドプーリ３１１）を用いたが、これをリブ又はローラに変更してもよい。すなわち、リブ又はローラにロープを巻き付ける構成を採用してもよい。
【００７５】
また、本実施形態においては、第１筐体３０１に第２プーリ（ガイドプーリ３１１）を設けたが、例えば、第１筐体１の起立片３０５に取り付けられた別の筐体（図示せず）に第２プーリ（ガイドプーリ３１１）を設けてもよい。
【００７６】
次に、原稿蓋体３６０について説明する。図１７及び図１８に示すように、原稿蓋体３６０は、上述した第１の筐体３０１の第１の軸（シャフト３０６）を中心に回動可能に固定されている第２の筐体３０２と、この第２の筐体３０２に取り付けられている蓋部材３６２とを備えている。
【００７７】
本実施形態における第２の筐体３０２は、上述した第１実施形態における第２の筐体２と同様の構成を有している。すなわち、図１７に示すように、第２の筐体３０２は、上板３１３の両側縁から下方へ向けて互いに平行な側壁３１４を設けて成る。側壁３１４の下端には、フランジ３１４ａが直角に張り出しており、このフランジ３１４ａを介して、第２の筐体３０２に蓋部材３６２が取り付けられている（図２１（ａ）参照）。左右一対の側壁３１４の下端の前方部及び後方部はそれぞれ補強棒３１５で連結されている。
図１７に示すように、左右一対の側壁３１４の後縁下端部にはそれぞれ連結片３１６が後方へ向けて突設され、左右の連結片３１６を上述した第１の軸（シャフト３０６）の両端部が貫通している。これにより、原稿台３５０（第１の筐体３０１）と原稿蓋体３６０（第２の筐体３０２）とが第１の軸（シャフト３０６）を中心として開閉可能に連結されている。
【００７８】
また、図１７に示すように、連結片３１６には、シャフト３０６を中心とする円弧状の第２ガイド孔３１７が形成されている。この第２ガイド孔３１７は上述した第１ガイド孔３０７（図示略）に連通しており、第２ガイド孔３１７にエンドプーリ３０８のストッパピン３０９が摺動可能に係合している。すなわち、原稿蓋体３６０が第１の軸（シャフト３０６）を中心として回転する際には、ストッパピン３０９が第２ガイド孔３１７の端縁に係合することで、原稿蓋体３６０が開放された状態で停止されるようになっている。
【００７９】
図１９に示すように、左右の側壁３１４間にはぜんまいシャフト３１８が架設され、ぜんまいシャフト３１８にぜんまいケース３１９が回動可能に取り付けられている。ぜんまいケース３１９の内部には図示しないぜんまいバネが収納される。ぜんまいバネの中心側端部（基端）はぜんまいシャフト３１８に固定され、ぜんまいバネの外周側端部（自由端）はぜんまいケース３１９に固定されている。なお、本実施形態においては、ぜんまい方式を用いているが、これをねじりコイル方式に変更してもよい。
【００８０】
ぜんまいケース３１９の側面には、ぜんまいバネの中心軸、すなわちぜんまいシャフト３１８を介して回転可能に固定されている第１のプーリ（巻き上げプーリ３２２）が設けられている。
【００８１】
第１のプーリ（巻き上げプーリ３２２）の側面には小径部３２３が一体で形成されており、ロープ３２５の一端側が小径部３２３に巻き付けられて、その先端が第１のプーリ（巻き上げプーリ３２２）に固定されている。すなわち、ロープ３２５はぜんまいバネの付勢力により、巻き付け方向へと力が加えられている。
【００８２】
なお、図１９に示すように、ロープ３２５の他端側はエンドプーリ３０８の外周囲に後方から係合し、その先端がエンドプーリ３０８のロープ取付部３０８ａに固定されている。そして、第２のプーリ（ガイドプーリ３１１）がロープ２５の軌道の前方において、ロープ３２５と係合可能な位置に設置されている。
【００８３】
また、図２０（ｂ）に示すように、第１のプーリ（巻き上げプーリ３２２）の小径部３２３には、ロープ３２５に係合する螺旋状の溝３２３ａが設けられている。これによれば、第１のプーリ（巻き上げプーリ３２２）に対してロープ３２５が固定されるため、ロープ３２５の軌道がさらに安定し、第１の筐体３０１と第２の筐体３０２とをさらにスムーズに開閉させることが可能となる。
【００８４】
なお、第１のプーリ（小径部３２３）における溝３２３ａは省略されてもよい。この場合、構成が簡素なものとなり、製造コストの低下が可能となる。
【００８５】
そして、例えば、図２１（ａ），（ｂ）に示す状態から図２２（ａ），（ｂ）に示す状態へと、原稿台３５０と原稿蓋体３６０との間の角度を第１の軸（シャフト３０６）を中心として小さくしたとき、すなわち、第１の軸（シャフト３０６）を中心として原稿蓋体３６０を閉じる場合、ぜんまいケース３１９及び第１のプーリ（巻き上げプーリ３２２）が第１の筐体３０１の前下方に移動し、第１のプーリ（巻き上げプーリ３２２）とエンドプーリ３０８との間に架設されたロープ３２５に第２のプーリ（ガイドプーリ３１１）が下から係合して、ロープ３２５の軌道が長くなる。この結果、ロープ３２５の一端がぜんまいバネの付勢力に抗して引っ張られて、第１のプーリ（巻き上げプーリ３２２）及びぜんまいケース３１９を回転させる。
【００８６】
このため、第１の軸（シャフト３０６）を中心として原稿蓋体３６０を閉じる場合には、第１のプーリ（巻き上げプーリ３２２）がロープ３２５を引っ張り、ぜんまいバネを変形させるので、ロープ３２５の軌道が安定し、第１の筐体３０１に対して第２の筐体３０２をスムーズに閉めることができる。すなわち、原稿蓋体３６０をスムーズに閉めることができる。
【００８７】
そして、図１７及び図１８に示すように、原稿蓋体３６０を完全に閉じると、蓋部材３６２が原稿台３５０（３５２）上に載せた原稿を押え、第２筐体３０２は蓋部材３６２の重量によってその位置にとどまり、原稿蓋体３６０の回動が停止する。このとき、ストッパピン３０９は、第１ガイド孔３０７（図示略）の下端に係合し、第２ガイド孔３１７の上端部或いは中間部に係合している（図１７参照）。
【００８８】
一方、図２２に示す状態から図２１に示す状態へと、原稿台３５０と原稿蓋体３６０との間の角度を第１の軸（シャフト３０６）を中心として大きくする場合、すなわち、原稿蓋体３６０を開ける場合には、ぜんまいバネの復元力を利用して、原稿蓋体３６０に荷重が加わった場合であっても原稿蓋体３６０を容易に開けることができる。また、ぜんまいバネ及び第１のプーリ（巻き上げプーリ３２２）の回転を利用していることから、従来のコイルスプリング及びカムを回転させたものに比べて、耐久性が高く、異音の発生も生じ難い。
【００８９】
また、上述したように、本実施形態の原稿載置装置３００には、原稿台３５０（第１の筐体３０１）に、第１の軸（シャフト３０６）とは異なる位置の第２の軸（ガイドプーリ用軸３１０）を中心として回転可能に固定された第２のプーリ（ガイドプーリ３１１）を備えている（図１９参照）。
【００９０】
このとき、図２１に示す状態から図２２に示す状態へと、原稿台３５０と原稿蓋体３６０との間の角度を第１の軸（シャフト３０６）を中心として小さくしたとき、すなわち、シャフト３０６を中心として原稿蓋体３６０を閉じる場合に、ロープ３２５は第２のプーリ（ガイドプーリ３１１）に係合することによってぜんまいバネの付勢力に抗して第１のプーリを回転させるので、蝶番装置（第１筐体、第２筐体）自体の構成が簡略化されるうえ、ロープ２５の軌道をさらに安定させて、第１の筐体３０１と第２の筐体３０２とをよりスムーズに開閉させることができる。すなわち、原稿台３５０に対して原稿蓋体３６０をよりスムーズに開閉させることができるようになる。そして、第２のプーリ（ガイドプーリ３１１）の回転を利用して、より耐久性を向上させ、異音の発生もさらに防止することができる。
【００９１】
図２３に示すように、原稿蓋体３６０（第２の筐体３０２）に設けられたぜんまいバネの中心軸（ぜんまいシャフト３１８）の一端部において、上述した第１のプーリ（巻き上げプーリ３２２）の反対側に位置する側壁３１４には、ラチェットギア３２０が固定されている。また、このラチェットギア３２０の下方には、ストッパレバー３２１が設けられている。そして、ストッパレバー３２１の先端爪３２１ａがラチェットギア３２０の歯に択一的に係合してその回転を規制するようになっている。
【００９２】
ストッパレバー３２１は、先端爪３２１ａがラチェットギア３２０に接離するよう、側壁３１４に回動可能に取り付けられ、コイルバネ３２１ｂによって先端爪３２１ａがラチェットギア３２０に接近する方向へ付勢されている。従って、ぜんまいシャフト３１８を工具で回転させて、ラチェットギア３２０のストッパレバー３２１による係合位置を変えることにより、ぜんまいバネの中心側端部の位置を変えることができる。なお、ぜんまいシャフト３１８の一端面には、工具掛け溝３１８ａを形成すると便利である。
【００９３】
このように、本実施形態の原稿載置装置３００においては、ぜんまいバネの中心軸（ぜんまいシャフト３１８）において、第１のプーリ（巻き上げプーリ３２２）の反対側に固定されたラチェットギア３２０と、そのラチェットギア３２０の回転を規制するストッパーレバー３２１とを設けているので、ぜんまいバネのバネ力の調整を容易に行うことができ、延いては、ロープ３２５の軌道の安定化を容易に確保することができる。
【００９４】
なお、こうしたラチェットギア３２０及びストッパーレバー３２１は省略されてもよい。この場合、部品点数が削減されることとなり、製造コストの低下が可能となる。
【００９５】
[第４実施形態]
以下においては、本発明の第４実施形態に係る原稿載置装置について説明する。ここでは、上述した第３実施形態と異なる点を中心に説明する。
【００９６】
図２４及び図２５に示すように、本実施形態の原稿載置装置４００は、原稿台４５０と、その原稿台４５０に対して、原稿台４５０の第１の軸（シャフト４０６）を中心として回転可能な中間体４０２と、その中間体４０２に対して、第１の軸（シャフト４０６）とは異なる位置の第３の軸（シャフト４２９）を中心として回転可能な原稿蓋体４６０とを備えている。
【００９７】
なお、第４実施形態における原稿台４５０は、上述した第３実施形態における原稿台３５０と同様の構成を有している。また、第４実施形態における中間体４０２は、上述した第３実施形態における第２筐体３０２と同様の構成を有しており、ぜんまいバネや第１プーリ等の構成、機構も同様である。
【００９８】
以下においては、第３実施形態とは異なる構成を有する原稿蓋体４６０について説明する。
図２５及び図２６に示すように、本実施形態における原稿蓋体４６０は、平板状をなす蓋部材４６２と、その蓋部材４６２に一体で取り付けられている第３筐体４０３とから形成されている。
【００９９】
本実施形態の第３筐体４０３は、上述した第２実施形態における第３筐体３と同様の構成を有している。すなわち、図２５（ａ）に示すように、第３筐体４０３は、天板４２７と、天板４２７の両側縁から下方に延びる外側壁４２８を有している。図２６（ａ）に示すように、外側壁４２８の下端には、フランジ４３０が直角に張り出している。このフランジ４３０を介して、第３筐体４０３に蓋部材４６２が取り付けられている。
【０１００】
図２５（ａ）に示すように、左右の外側壁４２８には、ぜんまいシャフト４１８の両端部と係合し得る長孔４３２が形成されている。長孔４３２は、第３の軸（シャフト４２９）を中心とする円弧状であり、原稿蓋体４６０（第３の筐体４０３）が第３の軸（シャフト４２９）を中心として回動すると、ぜんまいシャフト４１８の両端部が長孔４３２に沿って摺動するようになっている。そして、長孔４３２の端縁にぜんまいシャフト４１８の端部が係合したとき、中間体４０２に対する原稿蓋体４６０（第３の筐体４０３）の回動が停止されるようになっている。
【０１０１】
図２８に示すように、一方の外側壁４２８の内面には、ガイドプーリ用軸３１０と平行で、中間体４０２の内側に延びるテンションプーリ用軸４３５が突出され、テンションプーリ用軸４３５の外周囲に第３のプーリ（テンションプーリ４３１）が回転可能に取り付けられている。なお、図２９においては、原稿台及び原稿蓋体は省略している。この第３のプーリ（テンションプーリ４３１）は、第３の筐体４０３に回転可能に固定されており、ロープ４２５に下方から係合するようになっている。さらに、中間体４０２の側壁には、他のガイドプーリ４２６が回動可能に取り付けられる。他のガイドプーリ４２６は第１のプーリ（巻き上げプーリ４２２）の小径部４２３の下前方に設置され、ロープ４２５が下方から係合している。
【０１０２】
なお、図２８に示すように、第３のプーリ（テンションプーリ４３１）の回動中心軸であるテンションプーリ用軸４３５、ガイドプーリ３１１の回動中心軸であるガイドプーリ用軸３１０、中間体４０２と第３の筐体４０３との回動中心軸である第３の軸４２９、第１の筐体４０１と中間体４０２との回動中心軸であり、エンドプーリ４０８の回動中心軸である第１の軸（シャフト４０６）、及び、第１のプーリ（巻き上げプーリ４２２）の回動中心軸であるぜんまいシャフト４１８は全て平行に配設されている。
【０１０３】
図２９に示すように、第３のプーリ（テンションプーリ４３１）は、ロープ２５に係合する第３の係合溝４３１ａと、その係合溝４３１ａの両側に設けられている第３の鍔部４３１ｂを有している。これにより、第３のプーリ（テンションプーリ４３１）に対するロープ４２５の固定状態が安定化されるようになる。
【０１０４】
また、図２９に示すように、本実施形態の第２のプーリ（ガイドプーリ３１１）及び第３のプーリ（テンションプーリ４３１）においては、第２のロープ係合溝３１１ａ及び第３の鍔部４３１ｂ、又は第２の鍔部３１１ｂ及び第３のロープ係合溝４３１ａは、同一平面内で回転するように構成することが好ましい。これによれば、原稿台４５０、中間体４０２及び原稿蓋体４６０の各々を開閉する際の機構の長さを短縮することができ、原稿載置装置４００自体をコンパクトに設計することができる。
【０１０５】
ここで、上述したように、本実施形態の原稿載置装置４００は、原稿台４５０と、その原稿台４５０に対して、原稿台４５０の第１の軸（シャフト４０６）を中心として回転可能な中間体４０２と、その中間体４０２に対して、第１の軸（シャフト４０６）とは異なる位置の第３の軸（シャフト４２９）を中心として回転可能な原稿蓋体４６０を備えており、且つ、中間体４０２に固定されたぜんまいバネと、そのぜんまいバネの中心軸に回転可能に固定された第１のプーリ（巻き上げプーリ４２２）と、その第１のプーリ（巻き上げプーリ４２２）に巻回されたロープ４２５と、原稿蓋体に回転可能に固定され、ロープ４２５に係合する第３のプーリ４３１とを備えている。
【０１０６】
そして、原稿台４５０と中間体４０２との間の角度を第１の軸（シャフト４０６）を中心として小さくしたときに、ロープ４２５がぜんまいバネの付勢力に抗して第１のプーリ（巻き上げプーリ４２２）を回転させ、中間体４０２と原稿蓋体４６０との間の角度を第３の軸４２９を中心として小さくしたときに、第３のプーリがぜんまいバネの付勢力に抗してロープ４２５を引張るようになっている。
【０１０７】
すなわち、まず、図２６（ａ），（ｂ）の状態から図２７（ａ），（ｂ）の状態へと、原稿蓋体４６０を回動したとき（原稿台４５０と中間体４０２との間の角度を第１の軸（シャフト４０６）を中心として小さくしたとき）には、第１のプーリ（巻き上げプーリ４２２）がロープ４２５を引っ張り、ぜんまいバネを変形させるので、ロープ４２５の軌道が安定し、原稿蓋体４６０を原稿台に対してスムーズに閉めることができる。
【０１０８】
且つ、図２７に示すような原稿蓋体４６０がある程度開放されている状態から、図３０（ａ），（ｂ）に示すように、中間体４０２と原稿蓋体４６０との間の角度を、第３の軸（シャフト４２９）を中心として小さくしたとき、すなわち、中間体４０２に対して原稿蓋体４６０を回動させたとき、第３のプーリ（テンションプーリ４３１）が後方へ移動することにより、ぜんまいバネの付勢力に抗してロープを引張り、ぜんまいバネを変形させるので、ロープ４２５の軌道が安定し、原稿蓋体４６０を中間体４０２に対してスムーズに閉めることができる。
【０１０９】
このとき、図３０（ｂ）に示すように、中間体４０２が開放された状態で位置が固定されたまま、第３の筐体４０３が第３の軸（他のシャフト４２９）を中心として回動し、原稿蓋体４６０と原稿台４５０とが所定の間隔をおいて並行となることが可能となる。すなわち、本実施形態においては、原稿台４５０上に厚い原稿Ｇ１を載せたときは、原稿蓋体４６０が第３の軸（他のシャフト４２９）を中心として回動し、原稿蓋体４６０と原稿台４５０とが図３０（ａ），（ｂ）に示すように並行に原稿Ｇ１を挟むことが可能となる。
また、図３１（ａ），（ｂ）に示すように、原稿Ｇ１よりも厚みが薄い原稿Ｇ２を原稿台４５０上に載置した場合でも、中間体４０２が開放された状態で位置が固定されたまま、第３の筐体４０３が第３の軸（他のシャフト４２９）を中心として回動し、原稿蓋体４６０と原稿台４５０とが所定の間隔をおいて並行となった状態で、原稿Ｇ２を原稿蓋体４６０と原稿台４５０との間に挟むことが可能となる。
【０１１０】
すなわち、本実施形態の原稿載置装置によれば、原稿の厚みが変わった場合においても、原稿を原稿台４５０と原稿蓋体４６０との間にうまく挟むことができる。
【０１１１】
一方、原稿蓋体４６０を開ける場合には、ぜんまいバネの復元力を利用して、原稿蓋体４６０に荷重が加わった場合であっても容易に原稿蓋体４６０を開けることができる。また、ぜんまいバネ及び第１のプーリ（巻き上げプーリ４２２）の回転を利用していることから、従来のコイルスプリング及びカムを回転させたものに比べて、耐久性が高く、異音の発生も生じ難い。
【０１１２】
また、本実施形態においては、第３実施形態と同様、原稿台４５０に、第１の軸（シャフト４０６）とは異なる位置の第２の軸３１０を中心として回転可能に固定された第２のプーリ（ガイドプーリ３１１）を備えている。
【０１１３】
そして、ロープ４２５は、原稿台４５０と中間体４０２との間の角度を第１の軸（シャフト４０６）を中心として小さくしたとき、及び中間体４０２と原稿蓋体４６０との間の角度を第３の軸４２９を中心として小さくしたときに、第２のプーリ（ガイドプーリ３１１）に係合することによってぜんまいバネの付勢力に抗して第１のプーリ（巻き上げプーリ４２２）を回転させる。このため、蝶番装置自体の構成が簡略化されるうえ、ロープ４２５の軌道をさらに安定させて、原稿台４５０と原稿蓋体４６０とをよりスムーズに開閉させることができ、第２のプーリ（ガイドプーリ３１１）の回転を利用して、より耐久性を向上させ、異音の発生もさらに防止することができる。
【符号の説明】
【０１１４】
１，３０１・・・第１の筐体
６，３０６，４０６・・・第１の軸
２，３０２・・・第２の筐体
２２，３２２，４２２・・・第１のプーリ（巻き上げプーリ）
２５，３２５，４２５・・・ロープ
１００，２００・・・蝶番装置
１０，３１０・・・第２の軸（ガイドプーリ用軸）
１１，３１１・・・第２のプーリ（ガイドプーリ）
２９，４２９・・・第３の軸
３，４０３・・・第３の筐体
３１，４３１・・・第３のプーリ（テンションプーリ）
１１ａ，３１１ａ・・・第２のロープ係合溝
１１ｂ，３１１ｂ・・・第２の鍔部
３１ａ，４３１ａ・・・第３のロープ係合溝
３１ｂ，４３１ｂ・・・第３の鍔部
２３ａ，３２３ａ・・・第１のプーリの溝
２０，３２０・・・ラチェットギア
２１，３２１・・・ストッパレバー
３５０，４５０・・・原稿台
３６０，４６０・・・原稿蓋体
３００，４００・・・原稿載置装置
４０２・・・中間体
【図１】
2015004982.tif 000003
【図２】
2015004982.tif 000004
【図３】
2015004982.tif 000005
【図４】
2015004982.tif 000006
【図５】
2015004982.tif 000007
【図６】
2015004982.tif 000008
【図７】
2015004982.tif 000009
【図８】
2015004982.tif 000010
【図９】
2015004982.tif 000011
【図１０】
2015004982.tif 000012
【図１１】
2015004982.tif 000013
【図１２】
2015004982.tif 000014
【図１３】
2015004982.tif 000015
【図１４】
2015004982.tif 000016
【図１５】
2015004982.tif 000017
【図１６】
2015004982.tif 000018
【図１７】
2015004982.tif 000019
【図１８】
2015004982.tif 000020
【図１９】
2015004982.tif 000021
【図２０】
2015004982.tif 000022
【図２１】
2015004982.tif 000023
【図２２】
2015004982.tif 000024
【図２３】
2015004982.tif 000025
【図２４】
2015004982.tif 000026
【図２５】
2015004982.tif 000027
【図２６】
2015004982.tif 000028
【図２７】
2015004982.tif 000029
【図２８】
2015004982.tif 000030
【図２９】
2015004982.tif 000031
【図３０】
2015004982.tif 000032
【図３１】
2015004982.tif 000033
【図３２】
2015004982.tif 000034
【図３３】
2015004982.tif 000035